(57)【要約】【課題】  ほぼ無色透明な表示部の保護板の端面まで導びかれた不要な光を遮ることが可能な電子機器の表示部を提供すること。【解決手段】  バックライト１２３によって発光された光によって、窓部材４の全体に（例えば窓部材４の端面である４ａ部まで）導かれた不要な光の漏れを防止するために、バックライトフレーム１２３ａの立ち曲げ部を窓部材４の端面４ａを覆い隠すところまで延長する。【選択図】  図１
2009145760.tif 000002
【特許請求の範囲】
【請求項１】
表示手段（１２１）と表示手段の表示面側を覆っている透明な板（４）と表示手段の保持を行っている不透明な部材（１２３ａ）とを有し、前記不透明な部材（１２３ａ）が前記透明な板（４）の端面（４ａ）の少なくとも一部は覆っていることを特徴とする電子機器の表示部。
【請求項２】
表示手段（１２１）と表示手段の表示面側を覆っている透明な板（４）と表示手段の保持を行っている不透明な部材（１２３ａ）と不透明な部材に当接し、外装カバー（３）側に付勢する方向に配された弾性体（１３１）とを有し、前記不透明な部材（１２３ａ）が前記透明な板（４）の端面（４ａ）の少なくとも一部を覆い、前記弾性体（１３１）の弾性力によって前記不透明な部材（１２３ａ）が外装カバー（３）に当接していることを特徴とする電子機器の表示部。
【請求項３】
電子機器の外装カバー（３）に凹部（３ｃ）が設けられ、該凹部（３ｃ）に前記不透明な部材（１２３ａ）に設けられた壁部の先端の少なくとも一部が入り込んでいることを特徴とする請求項１、又はは請求項２に記載の電子機器の表示部。
【請求項４】
表示手段（１２１）と表示手段の表示面側を覆っている透明な板（４）とが前記弾性体（１３１）の弾性力によって当接していることを特徴とする請求項３に記載の電子機器の表示部。
【請求項５】
前記不透明な部材（１２３ａ）は金属から成ることを特徴とする請求項１から請求項４のいずれかに記載の電子機器の表示部。
【請求項６】
前記透明な板（４）は外装カバー（３）の内側から外装カバー（３）に固定されていることを特徴とする請求項１から請求項５のいずれかに記載の電子機器の表示部。
【発明の詳細な説明】
【技術分野】
【０００１】
本発明はデジタルスチルカメラ等の電子機器に設けられた液晶パネル等の表示部の構成に関するものである。
【背景技術】
【０００２】
デジタルカメラを始めとする電子機器には、撮影領域の決定、撮影した画像の確認、各種メニューの表示に用いられる液晶パネル等からなる表示部が備わっていることが多い。説明のとおり用途が幅広くかつ重要な用途が多いため、市場では表示部の大きいものが好まれる傾向にあり、その要望に答える形で近年大型化が進んでいる。
【０００３】
従来、表示部が小さかったため、表示部がそのまま外観に剥き出しになっていることが多かったが、液晶パネル等の表示部は外部からの圧力や衝撃に弱く、表示部の大型化に伴って、何らかの補強対策が必要となっている。例えば、特許文献１では、アクリルやポリカーボネートないしは強化ガラス等からなるほぼ無色透明な板で表示部を保護している。
【特許文献１】特開平８−５４６２８号公報
【発明の開示】
【発明が解決しようとする課題】
【０００４】
しかしながら特許文献１の発明においては、表示部から発せられた光が、ほぼ無色透明な板を導光体として板の端部まで導かれてしまい、そこから漏れ出た光が操作ボタンを始めとする、他の隙間から視認できてしまい外観品位が落ちてしまう恐れがあった。以上を鑑みて本発明ではほぼ無色透明な表示手段の表示面側を覆っている部材の端面まで導びかれた不要な光を遮ることが可能な電子機器の表示部を提供することを目的とする。
【０００５】
本出願に係る第１の発明は、表示手段の表示面側を覆っている透明な部材の端面まで導びかれた光を、表示手段の保持を行っている不透明な部材によって少なくとも一部を遮り、外観品位の低下を防止することを目的とする。
【０００６】
本出願に係る第２の発明は、表示手段の保持を行っている不透明な部材が弾性体の弾性力によって外装カバーに当接するまで付勢されているため、表示手段の表示面側を覆っている透明な部材の端面の露出量が減少し、表示手段の表示面側を覆っている透明な部材の端面まで導かれた光を遮る効果を高めることを可能とし、外観品位の低下を防止することを目的とする。
【０００７】
本出願に係る第３の発明は、表示手段の保持を行っている不透明な部材に設けられた壁部の先端が外装カバーに設けられた凹部に潜り込むことから、表示手段の保持を行っている不透明な部材に設けられた壁部の高さが表示手段の表示面側を覆っている透明な板の端面を超えるため、表示手段の表示面側を覆っている透明な部材の端面まで導かれた光を遮る効果を高めることを可能とし、外観品位の低下を防止することを目的とする。
【０００８】
本出願に係る第４の発明は、表示手段と表示手段の表示面側を覆っている透明な板とが前記弾性体の弾性力によって当接しているため、表示手段と表示手段の表示面側を覆っている透明な部材との間に介在する空気層が無くなり、空気層による乱反射を防止し、表示手段の外観視認性を高めることを目的とする。
【０００９】
本出願に係る第５の発明は、表示手段の保持を行っている不透明な部材が金属から成ることで、表示手段の表示面側を覆っている透明な部材の端面を覆う部位の肉厚が薄くても良好に遮光することを可能とし、外観品位の低下を防止することを目的とする。
【００１０】
本出願に係る第６の発明は、表示手段の表示面側を覆っている透明な部材を外装カバーの内側から固定することで、表示手段の表示面側を覆っている透明な板の外観露出面と外装カバーの外観面とをほぼ同一面に仕上げることを可能とし、外観意匠性を高めることを目的とする。
【課題を解決するための手段】
【００１１】
本発明の電子機器の表示部は、表示手段（１２１）と表示手段の表示面側を覆っている透明な板（４）と表示手段の保持を行っている不透明な部材（１２３ａ）とを有し、前記不透明な部材（１２３ａ）が前記透明な板（４）の端面（４ａ）の少なくとも一部は覆っていることを特徴としている。
【００１２】
また、本発明の他の特徴とするところは、表示手段（１２１）と表示手段の表示面側を覆っている透明な板（４）と表示手段の保持を行っている不透明な部材（１２３ａ）と不透明な部材に当接し、外装カバー（３）側に付勢する方向に配された弾性体（１３１）とを有し、前記不透明な部材（１２３ａ）が前記透明な板（４）の端面（４ａ）の少なくとも一部を覆い、前記弾性体（１３１）の弾性力によって前記不透明な部材（１２３ａ）が外装カバー（３）に当接していることを特徴としている。
【００１３】
また、本発明の他の特徴とするところは、電子機器の外装カバー（３）に凹部（３ｃ）が設けられ、該凹部（３ｃ）に前記不透明な部材（１２３ａ）に設けられた壁部の先端の少なくとも一部が入り込んでいることを特徴としている。
【００１４】
また、本発明の他の特徴とするところは、表示手段（１２１）と表示手段の表示面側を覆っている透明な板（４）とが前記弾性体（１３１）の弾性力によって当接していることを特徴としている。
【００１５】
また、本発明の他の特徴とするところは、前記不透明な部材（１２３ａ）は金属から成ることを特徴としている。
【００１６】
また、本発明の他の特徴とするところは、前記透明な板（４）は外装カバー（３）の内側から外装カバー（３）に固定されていることを特徴としている。
【発明の効果】
【００１７】
以上説明したように、本発明に係る第１の発明によれば、表示部から発せられた光が、ほぼ無色透明な板を導光体として板の端部まで導かれてしまい、そこから漏れ出た光が操作ボタンを始めとする、他の隙間から視認できてしまい外観品位が落ちてしまう恐れがあった。以上を鑑みて本発明ではほぼ無色透明な表示手段の表示面側を覆っている部材の端面まで導びかれた不要な光を遮ることが可能な電子機器の表示部を提供することが可能となる。
【００１８】
本発明に係る第２の発明によれば、表示手段の保持を行っている不透明な部材が弾性体の弾性力によって外装カバーに当接するまで付勢されているため、表示手段の表示面側を覆っている透明な部材の端面の露出量が減少し、表示手段の表示面側を覆っている透明な部材の端面まで導かれた光を遮る効果を高めることを可能とし、外観品位の低下を防止することが可能となる。
【００１９】
本発明に係る第３の発明によれば、表示手段の保持を行っている不透明な部材に設けられた壁部の先端が外装カバーに設けられた凹部に潜り込むことから、表示手段の保持を行っている不透明な部材に設けられた壁部の高さが表示手段の表示面側を覆っている透明な板の端面を超えるため、表示手段の表示面側を覆っている透明な部材の端面まで導かれた光を遮る効果を高めることを可能とし、外観品位の低下を防止することが可能となる。
【００２０】
本発明に係る第４の発明によれば、表示手段と表示手段の表示面側を覆っている透明な板とが前記弾性体の弾性力によって当接しているため、表示手段と表示手段の表示面側を覆っている透明な部材との間に介在する空気層が無くなり、空気層による乱反射を防止し、表示手段の外観視認性を高めることが可能となる。
【００２１】
本発明に係る第５の発明によれば、表示手段の保持を行っている不透明な部材が金属から成ることで、表示手段の表示面側を覆っている透明な部材の端面を覆う部位の肉厚が薄くても良好に遮光することを可能とし、外観品位の低下を防止することが可能となる。
【００２２】
本発明に係る第６の発明によれば、表示手段の表示面側を覆っている透明な部材を外装カバーの内側から固定することで、表示手段の表示面側を覆っている透明な板の外観露出面と外装カバーの外観面とをほぼ同一面に仕上げることを可能とし、外観意匠性を高めることが可能となる。
【発明を実施するための最良の形態】
【００２３】
次に、本発明の詳細を実施の形態の記述に従って説明する。
【実施例１】
【００２４】
図２および図３に本実施例を適用したカメラの分解斜視図を正面側と背面側からそれぞれ示す。図において１はカメラの正面側を覆う前面カバー、３は裏側を覆う背面カバー、５は中央部を覆う中央カバーであり、大きく分けて３枚のカバー構成となっている。前面カバー１には化粧板２が張り合わされており外観意匠性を高めている。また、前面カバー１にはファインダ対物窓１ａが固定部材１ｂとともに接着固定されている。背面カバー３には大きな穴３ａが設けられており、ほぼ無色透明な窓部材４が背面カバー３の内側からその穴に嵌まりこみ、全周を一段削り落としたことによって生まれた面に両面テープを貼り付けて、背面カバー３に固定している。また、削り落として出来た窓部材４の段差を利用して、板厚方向の位置決めを行い、外観面の平滑さを実現している。窓部材４には傷防止のために表面に硬化剤をコーティングしている上、外光の反射を軽減し液晶パネル１２１による表示物の視認性を向上させるために反射防止コーティングを施し、さらに付着した汚れを落とし易くするために防汚コーティングを施している。６はカメラ本体の剛性を高める金属製のシャーシであり、各ユニット、外装カバー類を固定している。金属シャーシ６には３種の補強板６ａ、６ｂ、６ｃが、スポット溶接によって固定されており、衝撃や圧力から液晶パネル１２１を保護するためにとり付けられている。
【００２５】
１１は撮影レンズ等を保持する鏡筒ユニットであり、鏡筒を駆動させるためのズームモーターを包括したギヤユニット１３が一体的に組みつけられている。そして鏡筒ユニット１１は、４本（図示は３本）のねじ１２により金属シャーシ６に固定される。１４は撮影範囲の決定に用いられるファインダユニットであり、上面よりねじ１４ａによって鏡筒ユニット１１に固定される。
【００２６】
２１は電池２３を保持するための電池ケースであり、ねじ２２ａおよび２２ｂによって金属シャーシ６に固定される。図に示すように電池ケース２１の一面は一部壁のない開口部２１ａがあり、メモリカードスロット５２によってふたがされるように構成されている。また、メイン配線基板５１にコネクタ接続されている電源フレキシブル配線基板３１の電池ケース２１側には電源コネクター３２および映像、音声のジャック３３が実装され、電池ケース２１に設けられた凹部２１ｃおよび２１ｄにそれぞれ組み合わされる。前記電池ケース２１には３角形の穴２１ｂがあけられている。この穴２１ｂと、電池２３上にある不図示の三角形のマークとの位置を合わせることで電池２３が正しい向きで電池ケース２１に挿入できるようにしている。また、電池ケース２１に設けられた３角形の穴２１ｂの裏には金属シャーシ６があり、その金属色が３角形の穴２１ｂから覗いて見え、３角形の穴の視認性を向上させている。
【００２７】
４１はストロボユニットであり、側面よりねじ４５によって金属シャーシ６に固定されている。４２はストロボ発光部、下方に伸びたフレーム部分にストロボ回路を実装したストロボフレキシブル配線基板４３が貼り付けられるとともに、ストロボコンデンサー４４が固定されている。そして該ストロボユニット４１は前記鏡筒ユニット１１に組みつけられたギアユニット１４の上方にあり、効率良いレイアウトを実現している。
【００２８】
５１はＣＰＵやメモリ、画像処理ＬＳＩ、電源回路等が実装されたメイン配線基板であり、背面には映像や音声を保存する外部メモリーを収納するスロット５２およびＵＳＢコネクタ５４が実装されている。そして該メイン配線基板５１はねじ５５ａおよび５５ｂによって金属シャーシ６にねじ止めされ、電池ケース２１の下方に設けられた不図示の爪にメイン配線基盤５１を引っ掛けることで、メイン配線基板５１の下部の浮きを抑えている。メイン配線基板５１にはマイクが実装されており、ゴム製のマイクブッシュ６６が被せられている。このマイクブッシュ６５は前面カバー１により圧縮されてカメラ本体内部の雑音を遮蔽し、集音効率を高めている。
【００２９】
６１はレリーズスイッチ、電源スイッチ等を実装した操作フレキシブル配線基板、７１はスピーカーであり、その端子部は操作フレキシブル配線基板６１に設けられた銅箔露出部と接触することで導通を図っている。
【００３０】
８１は背面の各種操作ボタン８２、カメラの動作モードの切り替えレバー８５の収納部８４、ファインダ１４の接眼窓部８７およびスピーカー７１の収納部８９とを一体的に成型した背面インナーである。背面の各種操作ボタン８２のうちの一つはその中心部に導光部材８３が貼り付けられた発光ボタン８２ａであり、操作フレキシブル配線基板６１に実装されたタクトスイッチ６２を導光部材９３によって押せるように構成されている。そしてタクトスイッチ６２の横には発光ダイオード６３が配されており、導光部材８３を通して発光ダイオード６３の発した光が発光ボタン８２ａの表面に導かれる。カメラの動作モードの切り替えレバー８５は、前記収納部８４に嵌まり込み、保持板金８６とで背面インナー８１を挟み込み、溶着によって摺動可能に固定されている。保持板金８６には操作フレキシブル配線基板６１上に実装された動作モード切り替えスイッチ６４のツマミ部を挟み込めるような腕部が形成されており、背面カバー３を組み込んだ状態でカメラの動作モードの切り替えレバー８５を上下に移動させると、動作モード切り替えスイッチ６４のツマミが前記腕部によって連動する。前記スイッチは所定位置ごとに静止画撮影、動画撮影、画像再生が割り当てられており、前記動作モードの切り替えレバー８５を上下方向に切り替えることで動作モードを変更することができる。８７はファインダ接眼窓部であり、そのすぐ脇には２つの穴が設けられている。この穴に対して導光部材８８が位置決め固定され、操作フレキシブル配線基板６１に実装された２つの発光ダイオード６５から発せられた光を外部に導いている。９０は十字ボタンであり、背面インナー８１に設けられた４箇所のボスに軽圧入し、位置決め固定されている。スピーカー７１は背面インナーに設けられた収納部８９に軽圧入固定され、カメラ完成状態においてスピーカー７１の周囲を囲い込み、音漏れを防止している。背面インナー９１は動作モード切り替えレバー収納部８４の周囲とファインダー接眼窓部８７とを背面カバー３に設けられた穴と合わせることで背面カバー３に対して位置決めが成されている。
【００３１】
１０１はズームレバー１０２、レリーズボタン１０３、電源ボタン１０４を保持する上面カバーであり、電池ケース２１の上面に操作フレキシブル配線基板６１を挟んで配置される。また、前記上面カバー１０１の側部にはＵＳＢコネクタ５４および映像と音声のジャック３３をカバーするためのジャックカバー１１０を収納する凹部１０１ａが設けられている。ジャックカバー１１０は柔らかい樹脂と硬い樹脂との２色成型で構成されており、ヒンジ部は容易に折り曲げが可能なように柔らかい樹脂で、外観面は剛性を高めるために硬い樹脂から成っている。
【００３２】
１１１は側面カバーであり、カメラの側面を覆っている。略中央に穴１１１ａが開けられ、その穴はストラップ保持部材１１３が最小限の隙間をもって挿通可能な大きさとなっている。ストラップ保持部材１１３にはストラップ紐１１２を通すことが可能な大きさの穴が開いている。そして、該側面カバー１１１はねじ１１４ａおよび１１４ｂによって、正面カバー１，背面カバー３およびストラップ保持部材１１３を挟み込んだ状態で金属シャーシ６に固定される。
【００３３】
７は三脚取り付け用のねじが切られた三脚取り付け座であり、背面側からねじ７ａによって金属シャーシ６に固定されている。
【００３４】
そして中央カバー５がねじ５ａにより金属シャーシ６に固定され、同じく金属シャーシ６に対して正面カバー１および背面カバー３はねじ８ａ、８ｂにより側面より、また、ねじ９ａ、９ｂにより底面より固定され、３つのカバーと金属シャーシとの締結によってカバーのアース取りを行っている。
【００３５】
１２１は液晶パネルであり、液晶カバー１２２とバックライトユニット１２３の構成部品の一つである樹脂スペーサー１２３ｃとで液晶パネル１２１を挟み込み、液晶カバー１２２に設けられた爪を樹脂スペーサー１２３ｃに設けられた凹部に引っ掛けることで液晶パネル１２１とバックライトユニット１２３とが一体化している。この液晶パネル１２１とバックライト１２３が一体になったユニットはねじ１２４によって金属シャーシ６に固定される。
【００３６】
図１を用いて本発明について詳しく説明する。図１は本実施例を適用したカメラの背面部の横断面図であり、同図においてバックライトユニット１２３は、光源である発光ダイオード（図示せず）とバックライト１２３及び液晶パネル１２１を保持しているバックライトフレーム１２３ａと発光ダイオードによる局所的な光を面発光へと変換する導光板１２３ｂと液晶パネルの受けを行っている樹脂スペーサーとを主要な構成部品として持っている。バックライトフレーム１２３は一枚の金属板から曲げ形成されており、薄い板厚であるにも係らず、発光ダイオードによって発せられた光をバックライトユニット１２３から液晶パネル１２１側以外の面への光漏れを低減させている。このバックライトユニット１２３によって得られた光によって液晶パネル１２１の表示物の視認性を高めている。この液晶パネル１２１の外観側には背面カバー３に固定されたほぼ無色透明な窓部材４があり、バックライト１２３によって発光された光は窓部材４を経由して外部へ照射される。ところが前記窓部材４は全体がほぼ無色透明であるため、窓部材４の全体に（例えば窓部材４の端面である４ａ部まで）光が導かれる。この時遮蔽物が窓部材４の端部と、背面カバー３に設けられた操作ボタン８２を露出させている穴３ｂ等の各穴との間に存在していなければ、光が漏れて欲しくない穴３ｂ等の箇所から光が漏れてしまい、外観品位を低下させてしまう。この光漏れを防止するために、バックライトフレーム１２３ａの立ち曲げ部を窓部材４の端面４ａを覆い隠すところまで延長し、バックライトフレーム１２３ａによって窓部材４の端部４ａまで導かれた不要な光を遮蔽している。
【００３７】
本実施例ではバックライトユニット１２３を金属シャーシ６に対してねじ１２４で固定されているが、固定対象は金属シャーシ６に限らず、鏡筒ユニット１１や背面カバー３等のいずれの構成部品であってもよく、固定方法についても、ねじ１２４による固定である必要はなく、爪に引っ掛けて固定したり、ねじ１２４と爪引っ掛けの両方が存在しても構わない。また、カメラを例にとっているが、適用範囲はカメラに留まらず、表示部を有していれば適用可能であり、ビデオカメラ、テレビ、携帯電話、複写機、プリンタ、ＦＡＸ、電子手帳などの各種機器にまで及ぶものである。
【実施例２】
【００３８】
本発明の第２の実施例では基本的な構造は実施例１と同様であるため、異なる構成のみに説明を留める。図４は本実施例を適用したカメラの背面部の横断面図であり、同図に示すようにバックライトフレーム１２３ａの背面側に発泡性の弾性部材１３１が貼り付けられている。バックライトフレーム１２３ａは段ビス１２５によって図４で見て上下方向にのみ移動可能に固定されている。この発泡性の弾性部材１３１は背面カバー３をカメラ本体に組み込んだ完成状態ではバックライトフレーム１２３ａと金属シャーシ６とで圧縮された状態で存在しており、バックライトフレーム１２３ａを外観側に付勢させている。この時、液晶パネル１２１と窓部材４との距離よりも、バックライトフレーム１２３ａの立ち曲げ部の先端と背面カバー３との距離を近く設定しているため、バックライトフレーム１２３ａの立ち曲げ部の先端が背面カバー３に当接するところがストッパーとなり、窓部材４の端面４ａを覆い隠し、不要な光を遮蔽する効果が高まる。
【００３９】
本実施例では発泡性の弾性体１３１によってバックライトフレーム１２３ａを付勢させているが、弾性を有している部材であれば、ゴム部材や金属や樹脂からなるバネ部材であっても適用は容易である。さらに実施例１同様、バックライトユニット１２３の固定対象は必ずしも金属シャーシ６である必要は無く、鏡筒ユニット１１や背面カバー３等のいずれの構成部品であってもよく、固定方法についても、段ビス１２５による固定である必要はなく、爪に引っ掛けて固定したり、段ビス１２５と爪引っ掛けの両方が存在しても構わない。また、適用範囲はカメラに留まらず、表示部を有していれば適用可能であり、ビデオカメラ、テレビ、携帯電話、複写機、プリンタ、ＦＡＸ、電子手帳などの各種機器にまで及ぶものである。
【実施例３】
【００４０】
本発明の第３の実施例では基本的な構造は実施例１、実施例２と同様であるため、異なる構成のみに説明を留める。図５は本実施例を適用したカメラの背面部の横断面図であり、同図に示すようにバックライトフレーム１２３ａの背面側に発泡性の弾性部材１３１が貼り付けられている。バックライトフレーム１２３ａは段ビス１２５によって図５で見て上下方向にのみ移動可能に固定されている。この発泡性の弾性部材１３１は背面カバー３をカメラ本体に組み込んだ完成状態ではバックライトフレーム１２３と金属シャーシ６とで圧縮された状態で存在しており、バックライトフレーム１２３ａを外観側に付勢させている。この時、液晶パネル１２１と窓部材４との距離を、バックライトフレーム１２３ａの立ち曲げ部の先端と背面カバー３との距離よりも近く設定しているため、液晶パネル１２１が窓部材４に当接するところがストッパーとなり、液晶パネル１２１と窓部材４とが当接し、間に存在する空気の層を減少させ、外観視認性を高めている（液晶パネル１２１と窓部材４との間に存在する空気層は外光を乱反射させてしまう作用があるため、外観視認性を高めるためには空気層は無い方が好ましい。）。しかしこの構成をとってしまうことで外装カバー３とバックライトフレーム１２３ａの立ち曲げ部の先端には微小であれ隙間が残ってしまい、不要な光を遮蔽する効果が十分には得られない。しかし、外装カバー３には凹部３ａがあり、液晶パネル１２１と窓部材４とが当接状態にある時、バックライトフレーム１２３ａの立ち曲げ部の先端が外装カバー３に設けられた凹部に図５で見て上下方向にオーバーラップするように潜り込ませているため、例え外装カバー３とバックライトフレーム１２３ａとの間に隙間が残っていても、光が漏れ難くすることが可能となる。
【００４１】
本実施例では発泡性の弾性体１３１によってバックライトフレーム１２３ａを付勢させているが、弾性を有している部材であれば、ゴム部材や金属や樹脂からなるバネ部材であっても適用は容易である。さらに実施例１や２と同様、バックライトユニット１２３の固定対象は必ずしも金属シャーシ６である必要は無く、鏡筒ユニット１１や背面カバー３等のいずれの構成部品であってもよく、固定方法についても、段ビス１２５による固定である必要はなく、爪に引っ掛けて固定したり、段ビス１２５と爪引っ掛けの両方が存在しても構わない。また、適用範囲はカメラに留まらず、表示部を有していれば適用可能であり、ビデオカメラ、テレビ、携帯電話、複写機、プリンタ、ＦＡＸ、電子手帳などの各種機器にまで及ぶものである。
【図面の簡単な説明】
【００４２】
【図１】本発明の実施例１のカメラ背面部の横断面図
【図２】本発明の実施例のカメラの分解斜視図（正面）
【図３】本発明の実施例のカメラの分解斜視図（背面）
【図４】本発明の実施例２のカメラ背面部の横断面図
【図５】本発明の実施例３のカメラ背面部の横断面図
【符号の説明】
【００４３】
３  背面カバー
３ｂ  背面カバーに設けられた操作ボタンの穴
３ｃ  背面カバーに設けられた凹部
４  窓部材
４ａ  窓部材の端面
１２１  液晶パネル
１２３ａ  バックライトフレーム
１３１  弾性体
【図１】
2009145760.tif 000003
【図２】
2009145760.tif 000004
【図３】
2009145760.tif 000005
【図４】
2009145760.tif 000006
【図５】
2009145760.tif 000007